(57)【特許請求の範囲】
【請求項１】
患者名別に薬袋印字情報が印字された薬袋を送る搬送路と、その薬袋を上記搬送路から受入れて振分ける振分け手段とを備え、上記搬送路には優先順位を設けた上記薬袋や再発行の上記薬袋が送り込まれ、上記振分け手段は、その優先順位を設けた薬袋や再発行の薬袋を他の薬袋と区別して振分けるようにして成る薬袋の振分け装置。
【発明の詳細な説明】
【０００１】
【産業上の利用分野】
この発明は、錠剤や散薬、分包袋等を収納する薬袋を患者名や優先順位などの条件に基づいて振分けるための振分け装置に関する。
【０００２】
【従来の技術及びその課題】
この種の薬袋は、通常、印字装置においてその表面に患者名や用法、注意事項等の情報を印字された後収納ケースに一旦収納され、その後薬袋の内部に錠剤や分包袋等が投入される手順がとられている。
【０００３】
この手順を行う薬局などの調剤作業においては、薬の調剤に対して患者別に優先順位を設けたり、印字内容の変更やプリントミス等により薬袋を再発行する場合が生じる。
このような場合、従来では、薬袋の混合を防ぐため他の薬袋の製袋や印字を中断して対象となる薬袋だけを製袋・印字しており、作業能率を低下させていた。
【０００４】
そこで、この発明は、その調剤作業の大幅な効率化を図ることを課題とする。
【０００５】
【課題を解決するための手段】
この発明は、上記の課題を解決するため、患者名別に薬袋印字情報が印字された薬袋を送る搬送路と、その薬袋を上記搬送路から受入れて振分ける振分け手段とを備え、上記搬送路には優先順位を設けた薬袋や再発行の薬袋が送り込まれ、上記振分け手段は、その優先順位を設けた薬袋や再発行の薬袋を他の薬袋と区別して振分けるようにして成る薬袋の振分け装置としたのである。
【０００６】
【作用】
上記の構成としたこの発明の薬袋振分け装置では、薬袋印字情報が印字された薬袋が搬送路へ送り込まれて振分け手段に至る。
【０００７】
このとき、上記薬袋に優先順位を設けたものや再発行のものがあれば、上記振分け手段は、その優先順位を設けた薬袋や再発行の薬袋を他の薬袋と区別して振分る。
【０００８】
【実施例】
図１（ａ）は、薬袋の製袋・印字装置に振分け装置を連結した実施例を示しており、この例では、１台の製袋装置１で製袋した薬袋Ｔを３台の印字装置２、３、４に分配し、その表面にそれぞれ患者名や用法等の情報を印字する。
【０００９】
この印字された薬袋Ｔは、次に各印字装置２、３、４と連結した複数の搬送路５、６、７を介して搬出用コンベヤ８に送られ、その搬出用コンベヤ８の端部に設置した収納ケース９内に投入される。この収納ケース９の内側には、図２に示すように、そのケース内部を２つの収納部１０、１１に仕切る振分け板１２が揺動可能に取り付けられている。この振分け板１２は、中央部がリンク１３を介してカム円板１４に連結され、このカム円板１４にこのカム円板を回転させる駆動モータＭ１５が連結されている。
【００１０】
また、カム円板１４の周縁には、１８０度の対向位置に一対の切欠溝１６、１６が形成され、その各切欠溝１６、１６を検出するための近接スイッチ１７、１７が駆動モータ１５の端面に取付けられている。この構造では、切欠溝１６、１６と近接スイッチ１７、１７が一致する範囲でカム円板１４を回動させると、振分け板１２が、図２において実線位置と鎖線位置との間を揺動し、搬出用コンベヤ８から排出される薬袋を各収納部１０、１１に振分けて収納する。
【００１１】
また、各搬送路５、６、７の排出側ローラ１８の外側と、搬出用コンベヤ８の排出側端部には、それぞれ薬袋の存在を検出する検出器１９、２０、２１、２２が設けられており、これら各検出器１９、２０、２１、２２の信号は、図１（ｂ）に示すようにマイクロコンピュータ等の制御装置（ＣＰＵ）２３に出力される。
【００１２】
一方、制御装置２３は、各搬送路に設けた検出器１９、２０、２１が薬袋を検出すると、その薬袋を一旦排出側ローラ１８に噛み込んだ状態で待機させ、搬出用コンベヤ８の検出器２２がオフの条件（搬出用コンベヤ８上に薬袋が存在しない状態）において、薬袋を搬出用コンベヤ８に送り出すようになっている。
【００１３】
また、制御装置２３には、オンラインでデータメモリ２４が接続し、そのデータメモリに、各薬袋の表面に印字する患者名や用法等の印字情報が収納されており、制御装置２３は、製袋装置１で製袋された薬袋が各印字装置２、３、４に分配されると、データメモリ２４から各印字装置に対して薬袋に印字する情報を出力し、印字装置の動きを制御するようになっている。
【００１４】
さらに、制御装置２３は、振分け板１２の駆動モータ１５の駆動回路２５と接続し、後述するように駆動モータ１５の作動を制御するようになっており、また、外部入力器２６が接続して、制御モードや印字装置の制御に必要な各種のデータを外部から制御装置２３に直接入力できるように構成されている。
【００１５】
この実施例は上記のように構成されており、次にその作用を説明する。薬袋の振分けを行なうには、先ず、制御装置２３に対して、患者名別の振分けか、或いは優先順位や再発行に基づく振分けかの振分けの種類を決める制御モードを、外部入力器２６を介して指令する。
【００１６】
この場合、患者名別の振分けの場合は、その制御モードを指定するだけで、データメモリ２４の情報に基づいて振分けが行なわれるが、優先順位や再発行に基づく振分けの場合は、制御モードと共に、優先される患者名や、優先順位、又は再発行する患者名等のデータを制御装置２３に指令する。
【００１７】
このように制御モードを指定した後、製袋装置１から各印字装置２、３、４に薬袋が分配されると、制御装置２３からそれぞれの印字装置２、３、４に対して印字情報が出力され、薬袋の印字が行なわれる。
【００１８】
印字された薬袋が、次に各搬送路５、６、７に送られ、排出側ローラ１８の位置で待機すると、各検知器１９、２０、２１から信号が制御装置２３に出力される。この状態で、制御装置２３においては、各々の印字装置に分配された薬袋にどのような印字情報が印字されているか特定できているので、待機位置にある薬袋とその印字情報とを判別することができる。
【００１９】
このため、その印字情報と制御モードの内容に基づいて駆動モータ１５を駆動し、振分け板１２を揺動させて薬袋を所定の収納部１０、１１に収納する。なお、この場合、各検出器１９、２０、２１のうち２つ又は３つの検出器から同時に薬袋の待機状態が出力された場合は、各薬袋に優先順位があるときはその順位通りに、また優先順位がないときは制御装置２３に入力された印字情報の古い順に薬袋を搬出用コンベヤ８に送り出し、収納ケース９に振分ける。
このとき、この実施例では、収納部が２つのため、薬袋に優先順位を設けたものや再発行のものがあれば、それらの薬袋が優先的に１つの搬送路に導入されて、その優先順位を設けた薬袋や再発行の薬袋が、例えば、振分け板１２が鎖線状態になって一方の収納部１０に送り込まれ、振分け板１２が実線状態における他方の収納部１１に送り込まれる他の薬袋と区別して振分けられる。
【００２０】
このように制御装置２３によって搬送される薬袋と印字情報が正確に特定され、それに基づいて振分け板１２の動きが制御されるため、薬袋が優先順位などの条件に応じて確実に振分けて収納することができる。
【００２１】
なお、上記の実施例では、薬袋の振分け方向を２方向としたが、３方向以上に振分けるようにしてもよい。また、薬袋と同時に処方せんを印字装置と搬送路に流し、薬袋と同様に振分けるようにしてもよい。
【００２２】
【効果】
以上のように、この発明は、患者名別に薬袋印字情報が印字された薬袋を送る搬送路と、その薬袋を上記搬送路から受入れて振分ける振分け手段とを備え、上記搬送路には優先順位を設けた薬袋や再発行の薬袋が送り込まれ、上記振分け手段は、その優先順位を設けた薬袋や再発行の薬袋を他の薬袋と区別して振分けるようにしたので、薬袋の混合を防ぐため他の薬袋の製袋や印字を中断して対象となる薬袋だけを製袋・印字する必要がなくなり、調剤作業の大幅な効率化を図れるという効果がある。
【図面の簡単な説明】
【図１】（ａ）は実施例の全体構造図、（ｂ）はその制御構造を示すブロック図
【図２】同上の要部の拡大図
【図３】振分け板とその駆動部を示す斜視図
【符号の説明】
２、３、４  印字装置
５、６、７  搬送路
８  搬出用コンベヤ
９  収納ケース
１２  振分け板
１４  カム円板
１５  駆動モータ
１９、２０、２１、２２  検出器
２３  制御装置
２４  データメモリ
【図１】
0003771741.tif 000002
【図２】
0003771741.tif 000003
【図３】
0003771741.tif 000004